(57)【特許請求の範囲】
【請求項１】
少なくとも一枚のシート品を保持する収納装置において、
開放位置と閉鎖位置との間を動くよう作動可能であって、表パネルと裏パネルとを含む収納装置カバーと、
前記収納装置カバーから突出し、前記シート品を通して完全に貫通するよう作動可能で該シート品を前記収納装置カバーに対して整合させる少なくとも１つの第１の結合部材と、
前記収納装置カバーに接続され、前記表パネルと前記裏パネルとは独立して前記第１の結合部材と折り曲げ係合関係となるように動くよう作動し、前記シート品が前記裏パネルに対して全体的に平行に位置する第１の位置から前記表パネルと全体的に平行である第２の位置まで前記シート品がその上で移動自在である細長い結合帯片を形成する少なくとも１つの第２の結合部材とを含むことを特徴とする少なくとも一枚のシート品を保持する収納装置。
【請求項２】
前記第２の結合部材が前記収納装置カバーと一体であることを特徴とする請求項１に記載の収納装置。
【請求項３】
前記収納装置カバーが前記表パネルと前記裏パネルとの中間に配置された背パネルを更に含み、前記表パネルと前記裏パネルが前記背パネルの細長い両側にヒンジ接続されていることを特徴とする請求項１に記載の収納装置。
【請求項４】
前記背パネルの細長い一方の側に前記表パネルを接続する第１の柔軟なヒンジと、前記裏パネルを前記背パネルの細長い対向する側に接続する第２の柔軟なヒンジとを更に含むことを特徴とする請求項３に記載の収納装置。
【請求項５】
前記第２の結合部材が前記第１の結合部材と係合するように折り曲げ可能にするよう前記第２の結合部材と関連した柔軟なヒンジを更に含むことを特徴とする請求項１に記載の収納装置。
【請求項６】
前記第２の結合部材の一端が前記第２の柔軟なヒンジに接合されて前記第２の結合部材が前記第１の結合部材と係合するように折り畳み可能とすることを特徴とする請求項４に記載の収納装置。
【請求項７】
前記第２の結合部材が該第２の結合部材を多数のセグメント要素に折り曲げ可能とするように長手方向長さに対して全体的に横方向に延在している少なくとも１つの柔軟なヒンジを有していることを特徴とする請求項５に記載の収納装置。
【請求項８】
前記各セグメント要素がその長さに亘って概ね直線の要素を含むことを特徴とする請求項７に記載の収納装置。
【請求項９】
前記第１の結合部材が前記表パネルと前記裏パネルの一方から離れる方向に延在しているポスト部材を含むことを特徴とする請求項１に記載の収納装置。
【請求項１０】
前記ポスト部材が前記表パネルと前記裏パネルの一方と一体であることを特徴とする請求項９に記載の収納装置。
【請求項１１】
前記ポスト部材が前記表パネルと前記裏パネルの一方に取り付けられていることを特徴とする請求項９に記載の収納装置。
【請求項１２】
前記第２の結合部材が細長い舌部材からなることを特徴とする請求項１に記載の収納装置。
【請求項１３】
前記収納装置カバーが弾性変形可能なプラスチック材料の一部片から形成されていることを特徴とする請求項１に記載の収納装置。
【請求項１４】
前記収納装置カバーがその縁部近傍で共通の方向に前記収納装置カバーから離れる方向に延在している概ね連続したフランジの壁を有していることを特徴とする請求項１に記載の収納装置。
【請求項１５】
前記収納装置カバーの外面に取り付けられた覆いを更に含むことを特徴とする請求項１に記載の収納装置。
【請求項１６】
前記第２の結合部材が少なくともその長さに亘って部分的に可撓性を有することを特徴とする請求項１に記載の収納装置カバー。
【請求項１７】
前記第２の結合部材が一端が前記の柔軟なヒンジに接合されている細長い舌部材からなることを特徴とする請求項５に記載の収納装置。
【請求項１８】
前記表パネルと前記裏パネルとの少なくとも一方に関連し、前記シート品を前記収納装置カバーに解放可能に固定するようにされている弾発性を有するクリップを更に含むことを特徴とする請求項１に記載の収納装置カバー。
【請求項１９】
前記収納装置カバーが前記フランジの壁と関連し、前記収納装置カバーを前記閉鎖位置において開放可能に保持するようにされている開放可能に係合可能な錠止装置を含むことを特徴とする請求項１４に記載の収納装置。
【請求項２０】
前記フランジの壁から外向きに延在し、支持面と係合するようにされている複数の突起を更に含むことを特徴とする請求項１４に記載の収納装置。
【請求項２１】
前記第２の結合部材がリブ部材を有する第１のセグメント要素と、チャンネル部材を有する第２のセグメント要素とを含み、前記チャンネル部材が前記第２の結合部材を前記第１の結合部材と係合するように折り曲げると前記リブ部材をその中に少なくとも部分的に受け取るようにされていることを特徴とする請求項７に記載の収納装置。
【請求項２２】
前記第２の結合部材の一端が前記裏パネルに接続されていることを特徴とする請求項１に記載の収納装置。
【請求項２３】
前記柔軟なヒンジが前記裏パネルに関連していることを特徴とする請求項５に記載の収納装置。
【請求項２４】
前記第１と第２の結合部材の一方が雌のソケットに終端し、他方が雄のプラグ本体に終端し、前記雌のソケットが前記雄のプラグ本体を受け取るようにされていることを特徴とする請求項１に記載の収納装置。
【請求項２５】
前記雌のソケットが前記雄のプラグ本体と開放可能に係合可能であることを特徴とする請求項２４に記載の収納装置。
【請求項２６】
前記雌のソケットが前記雄のプラグ本体と錠止可能に係合可能であることを特徴とする請求項２４に記載の収納装置。
【請求項２７】
少なくとも１枚のシート品を保持する収納装置において、
パネルと、
前記パネルから突出し、前記シート品を完全に貫通して前記シート品を前記パネルに対して整合させるよう作動可能である少なくとも１つの第１の結合部材と、
前記パネルに接続され、前記第１の結合部材と折り曲げ係合関係となるよう前記パネルとは独立して動き、前記シート品がその上で前記パネルに対して全体的に平行に位置する第１の位置から前記表パネルと全体的に平行である第２の位置まで移動自在である細長い結合帯片を形成する少なくとも１つの第２の結合部材とを含むことを特徴とする少なくとも１枚のシート品を保持する収納装置。
【請求項２８】
前記第２の結合部材が前記パネルと一体化されていることを特徴とする請求項２７に記載の収納装置。
【請求項２９】
前記第２の結合部材が前記第１の結合部材と係合するよう折り曲げ可能とするために前記第２の結合部材と関連した柔軟なヒンジを更に含むことを特徴とする請求項２７に記載の収納装置。
【請求項３０】
前記第２の結合部材が前記第２の結合部材が多数のセグメント要素に折り曲げ可能とするために長手方向の長さに対して全体的に横方向に延在している少なくとも１つの柔軟なヒンジを有することを特徴とする請求項２９に記載の収納装置。
【請求項３１】
前記各セグメント要素がその長さに亘って概ね直線の要素を含むことを特徴とする請求項３０に記載の収納装置。
【請求項３２】
前記第１の結合部材が前記パネルから離れる方向に延在しているポスト部材からなることを特徴とする請求項２７に記載の収納装置。
【請求項３３】
前記ポスト部材が前記パネルと一体であることを特徴とする請求項３２に記載の収納装置。
【請求項３４】
前記ポスト部材が前記パネルに取り付けられていることを特徴とする請求項３２に記載の収納装置。
【請求項３５】
前記第２の結合部材が細長い舌部材からなることを特徴とする請求項２７に記載の収納装置。
【請求項３６】
前記パネルがその縁部の近傍で共通方向に前記パネルから離れる方向に延在している概ね連続したフランジ壁を有することを特徴とする請求項２７に記載の収納装置。
【請求項３７】
前記第２の結合部材が一端が前記の柔軟なヒンジに接合されている細長い舌部材からなることを特徴とする請求項２９に記載の収納装置。
【請求項３８】
前記第２の結合部材がリブ部材を有する第１のセグメントと、チャンネル部材を有する第２のセグメント要素とを含み、前記チャンネル部材が、前記第１の結合部材と係合するように前記第２の結合部材を折りたたむと、前記リブ部材を少なくとも部分的に受け入れるようにされていることを特徴とする請求項３０に記載の収納装置。
【請求項３９】
前記第２の結合部材が一端が前記パネルの細長い縁部の近傍に接続されていることを特徴とする請求項２７に記載の収納装置。
【請求項４０】
前記柔軟なヒンジが前記パネルの細長い縁部の近傍に配置されていることを特徴とする請求項２９に記載の収納装置。
【請求項４１】
前記第１と第２の結合部材の一方が雌のソケットに終端し、前記結合部材の他方が雄のプラグ本体に終端し、前記雌のソケットが前記雄のプラグ部材を受け入れるようにされていることを特徴とする請求項２７に記載の収納装置。
【請求項４２】
前記雌のソケットが前記雄のプラグ本体と解放可能に係合可能であることを特徴とする請求項４１に記載の収納装置。
【請求項４３】
前記雌のソケットが前記雄のプラグ本体と錠止可能に係合可能であることを特徴とする請求項４１に記載の収納装置。
【発明の詳細な説明】
【０００１】
本特許出願は１９９９年６月５日に出願され、「収納装置」（ＳTORAGE  DEVICE）という名称で出願中の米国特許出願番号第０９／３２７，４４２号の一部継続出願であり、その開示内容全体を参考文献として本明細書に援用する。
【０００２】
（発明の分野）
本発明は一般に収納装置に関し、特に使用者がアクセスするよう１枚以上のシート品を保持する収納装置に関する。
【０００３】
（発明の背景）
例えば紙あるいはプラスチックフィルムのようはシート材料用の収納装置は各種の形状や構造で存在している。代表的な収納装置の一つは表カバーと、裏カバーと、穴あけした紙あるいは同様のシート状材料を導入するよう開放し、次いで再び閉鎖し得る２つあるいは３つのリング状結合要素を囲んでいる背とを含むリングバインダである。これらのバインダは結合機構にかかるコストとこの機構をバインダカバーの背に固定するのに要する労力のため製造が比較的高価につく。更に、特に寸法の大きな金属製のバインダリングは使用に伴い整合しなくなる嫌いがある。その結果、時間が経過すると、収納されたシートはリング状結合要素を自在に回転せず、ときには整合していない金属から引き裂かれることがある。
【０００４】
穴あけしたシート用の別の周知のバインダ装置はバインダカバーに固定された離隔した可撓性を有する金属帯片を使用している。これらの金属帯片の方は、紙あるいは類似のシート状材料の穿孔を通して送られ、次いで前記帯片を分離した上側プレートの穴を通して送り、該帯片を前記プレートに取り付けることによって適所に固定される。このようなバインダ装置は穴あけしたシートが金属の帯片において自在に回転できないようにしている。バインダ機構を繰り返し開放したり、閉鎖したりすることによって金属帯片は折り曲げられ、プレートに十分取り付かない。
【０００５】
更に別のバインダ装置は収納すべきシートを挿入し、続いて張力装置(tensioning device)によって締め付けを可能とするバインダカバーに固定された開放可能な張力プレートを組み込んでいる。このバインダ装置はシートを事前に穴あけする必要がない。しかしながら、本バインダ装置は緩みやすく、その結果バインダ装置からシートが喪失されることがある。もしもシートの量が大きくなりすぎるとすれば、たとえシートの束に張力がかかっていたとしても中心近くにあるシートが本バインダ装置から落下する可能性がある。また、シートは一方向でのみ保持可能であり、それらは張力のかかったプレートに対して回転することができない。
【０００６】
前述のバインダ装置設計の各々は可変数のページの収納を可能とする。しかしながら、これらの設計では比較的複雑な製造工程を要する結合機構を組み込んでおり、これらの機構をバインダに取り付けるには労力を要し、かつシート材料を効果的に収納する上で欠点がある。
【０００７】
可変数のページを効果的に収納し、すべての収納されたページを保持し、しかも同時に個々のページに容易にアクセスできるようなバインダ装置に対する要求が存在している。また、このタイプのバインダ装置は安価に製造可能で、バインダ装置あるいは収納されたシートを損傷させる危険性が殆どなくして使用、および再使用が可能であることも好ましい。
【０００８】
（発明の要約）
本発明はこれまで知られている収納装置の前述およびその他の欠点を克服する。本発明をある実施例に関連して説明するが、本発明はこれらの実施例に限定されないことが理解される。逆に、本発明は本発明の精神と範囲とに含まれ得る全ての代案、修正、および同等のものも包含する。
【０００９】
本発明は使用者がアクセスするための少なくとも１枚のシート品を保持するための収納装置を指向する。本発明の一実施例において、収納装置は表パネルと裏パネルとを有する収納装置カバーと、前記カバーに関連し、収納すべきシート品の穿孔を受け入れる１つ以上の第１の結合部材と、前記カバーにヒンジ接続された１つ以上の第２の結合部材とを含む。第２の結合部材は表パネルと裏パネルとは独立して第１の結合部材と係合するように動くよう作動可能である。収納装置は保持されたシート品を一時的あるいは永久的に収納し、保持されたシート品が収納装置の裏パネルと全体的に平行の第１の位置から収納装置の表パネルと全体的に平行である第２の位置まで動き得るようにするべく構成されている。本発明の代替実施例においては、収納装置は第１と第２の結合部材を担持している単一のパネルを含む。
【００１０】
製造材料の成分に応じて、本発明による収納装置は一体成形品として構成し得る。代替的に、各種の要素は例えば接着剤の使用り、溶接、固定手段、あるいはその他の周知の結合あるいは取り付け技術を使用して収納装置のカバーに個別に固定してもよい。
【００１１】
本発明の前述およびその他の目的や利点は添付図面およびその説明から明らかとなる。
【００１２】
本明細書に含み、かつ本明細書の一部を構成する添付図面は本発明の実施例を図示し、前述の本発明の全体的な説明と共に本発明の原理を説明するのに役立つ。
【００１３】
（好適実施例の詳細説明）
図面、特に図１を参照すれば、本発明の原理による収納装置１０は、該収納装置１０内において鎖線で示す１枚以上のシート品を保持するものとして示されている。シート品１２は以下説明するように、収納装置１０内で該シート品１２を整合させ、かつ保持できるようにし得る開口１４を含むように穿孔されることが好ましい。図１において、コンパクトディスクからなるシート品１２が示されているが、本発明による収納装置１０は、当該技術分野の専門家には認められるように例えば写真アルバム、調理法カード、あるいはプラスチックシートを含む通常バインダ装置に収納するその他のタイプのシート品を保持するように容易に適合し得ることが考えられる。
【００１４】
収納装置１０は、ポリプロピレン重合体(polymer)、ポリ塩化ビニル重合体、ポリエチレンテレフタレート重合体および金属を含むその他のタイプの材料も考えられるが、例えばポリプロピレンのような弾性と可撓性を有する合成プラスチック材料から一体成形あるいは形成することが好ましい収納装置カバー１６を含む。許容される材料は必要な形状に形成可能であり、収納装置カバー１６および以下詳細説明する結合機構との双方を繰り返し開閉してもそれに耐えるに十分な耐久性を有するものである。
【００１５】
収納装置１６は裏パネル２０にヒンジ接続された表パネル１８を含み、表パネル１８と裏パネル２０との中間に配置され、表パネル１８と裏パネル２０とが接続される背パネル２２と含むことが好ましい。表パネル１８と裏パネル２０とは、それぞれ収納装置１６に形成された柔軟なヒンジ２４ａ，２４ｂを介して背パネル２２の細長い両側にヒンジ接続されることが好ましい。前記の柔軟なヒンジ２４ａ，２４ｂとは表およぶ裏パネル１８，２０が該柔軟なヒンジ２４ａ，２４ｂによって手で簡単に折り曲げ可能とする従来の技術を介して収納装置カバー１６に形成した細長い厚みを薄くした部分であることが好ましいが、折り目線あるいは切り込み線（図示せず）あるいは当該技術分野において周知のその他のいずれかのタイプの可撓性形成物(flexible formation)から構成してもよい。収納装置カバー１６は図１から図３までに最も明瞭に示す開放位置から図４および図７に最も明瞭に示す閉鎖位置まで折り曲げ可能なように作用し得る。
【００１６】
収納装置カバー１６の開放位置において、表パネル１８、裏パネル２０、および背パネル２２は該パネル１８，２０，２２の各々を全体的に共通の平面に位置させて支持面（図示せず）上に支持し得る。代替的に、収納装置カバー１６の閉鎖位置において、表パネル１８と裏パネル２０とは全体的に平行の平面に重ねられ、一方背パネル２２は表パネル１８と裏パネル２０とによって画成される平面に対して全体的に横方向の平面に位置している。
【００１７】
図１、図２から図４まで、および図７を参照すれば最良に理解されるように、収納装置カバー１６は該収納装置カバー１６の縁部の近傍で収納装置１０の内面２８から上向きに延在している概ね連続したフランジ壁２６を含むことが好ましい。フランジ壁２６は収納装置１０を形成している間に収納装置カバー１６と一体成形あるいは形成することが好ましい。収納装置カバー１６を図７に示す閉鎖位置まで折り曲げると、フランジ壁２６と、表パネル１８と、裏パネル２０と背パネル２２とは、シート品１２がその中で収納される閉鎖室３０（図４）を収納装置１０内で形成するように作られている。
【００１８】
さて、図１から図４までを参照すれば、収納装置１０は、収納装置カバー１６に対してシート品１２を整合させるためにシート品１２に形成された開口１４を完全に貫通するよう作動可能である、図において離隔した剛性あるいは半剛性ポストの形態であることが好ましい１つ以上の結合機構３２を含む。前記ポスト３２は収納装置１０の内面２８から離れる方向に延在しており、収納装置１０の形成の間収納装置カバー１６と一体形成すればよく、あるいは代替的に接着剤の使用、溶接、固定手段あるいはその他の周知の結合あるいは取り付け技術によって収納装置カバー１６に取り付ければよい。
【００１９】
ポスト３２は収納装置カバー１６が図２および図３に示すように開放位置まで開かれるとシート品１２をポスト３２に簡単に位置づけたり、あるいはそこから外したりし得るように裏パネル２０から上向きに延在している。ポスト３２は裏パネル２０に対して全体的に垂直に延在していることが好ましい。もっとも、ポスト３２は以下説明する目的のためその全長に亘り、あるいは少なくとも遠位端の近傍で背パネル２２に向かって僅かに内向きに角度を付け得ることが考えられる。ポスト３２は収納装置１６が図４を参照すれば最良に理解されるように閉鎖位置まで折り曲げられると表パネル１８より下で遠位端３４に終端することが好ましい。ポスト３２は裏パネル２０から離れる方向に延在しているものとして示されているが、本発明の精神と範囲とから逸脱することなくポスト３２は図示していない代替実施例において表パネル１８から延在するようにしてもよいことが理解される。
【００２０】
引き続き図１から図４までを参照すると、ポスト３２は好ましくは雌のソケットの形態で接続部材３６において遠位端３４の近傍に終端する中空のチューブ状部材として形成されることが好ましい。代替的にポスト３２はその長さの概ね全体部分に亘って中実とし、雌のソケット３６において遠位端３４の近傍に終端するようにしてもよい。ポスト３２は断面形状が全体的に円形として示されているが、本発明の精神と範囲とから逸脱することなくポスト３２は該ポスト３２がシート品１２に形成された開口１４を完全に貫通し得るようにするその他の断面形状および寸法とし得ることが認められる。
【００２１】
更に、図１から図４までを参照すれば、収納装置１０は図に示すように、収納装置カバー１６にヒンジ接続された細長い舌部材の形態が好ましい１つ以上の結合部材３８を含む。舌部材３８の収納装置カバー１６に対するヒンジ接続は、舌部材３８が収納装置カバー１６に対して手で折りたたみ可能とする収納装置カバー１６の材料を単に折り曲げることを含む多様な形態を採り得る。舌部材３８は収納装置１０を形成している間収納装置カバー１６と一体成形あるいは形成することが好ましい。代替的に、舌部材３８は該舌部材３８の一端における収納装置カバー１６に対するヒンジ接続は維持しながら収納装置１０を形成した後従来の切断技術により収納装置カバー１６から切断し得ることも考えられる。代替実施例（図示せず）において舌部材３８は接着剤の使用、溶接、固定技術あるいはその他の周知の接着技術あるいは取り付け技術を利用して収納装置カバー１６に取り付ければよい。
【００２２】
舌部材３８は、図１から図４までを参照すれば最良に理解されるように柔軟なヒンジ２４ｂと共に延在している柔軟なヒンジ４２を介して一端４０で収納装置カバーにヒンジ接続することが好ましい。この実施例において舌部材３８は前記の柔軟なヒンジ４２から背パネル２２を通して横方向に、かつ部分的に表パネル１８を通して横方向に延在している。本発明の精神と範囲とから逸脱することなく舌部材３８のその他のヒンジ接続や配置も可能なことは勿論である。
【００２３】
各舌部材３８は該舌部材３８の長手方向の長さに対して全体的に横方向に延在している少なくとも１つの柔軟なヒンジ４４を含む。前記の柔軟なヒンジ４４は図１から図４までを参照すれば最良に理解されるように柔軟なヒンジ２４ａと共に延在するようにし得る。前記の柔軟なヒンジ４４は図２から図４までを参照すれば最良に理解されるように舌部材３８を多数のセグメント要素４６ａ，４６ｂに折りたたみ可能とし得る。多数の要素４６ａ，４６ｂの各々はそれぞれの長さに亘って概ね直線の要素を含むことが好ましい。舌部材３８は、以下詳細に説明する目的のためにシート品１２に形成された開口１４の直径より小さい断面幅を有している。
【００２４】
引き続き図１から図４までを参照すれば、収納装置カバー１５に対する舌部材３８のヒンジ接続は舌部材３８がポスト３２と係合し全体的に４８で指示する結合帯片を形成するようにし、該帯片上をシート品１２が自在に移動する。結合帯片４８はポスト３２の長さ分と舌部材３８との組み合わせによって全体的に画成され、シート品１２が図３を参照すれば最良に理解されるように裏パネル２０と全体的に平行に位置する第１の位置から表パネル１８に対して全体的に平行に位置する第２の位置まで結合帯片４８に沿って運動し得るように作用可能である。
【００２５】
舌部材３８は、収納装置カバー１６が開放位置まで開かれたときポスト３２に対する該舌部材３８の係合状態が維持され得るように表パネル１８および裏パネル２０とは独立して動くよう作用し得ることが好ましい。ポスト３２に対して舌部材３８が係合すると、収納装置カバー１６の開放および閉鎖位置において舌部材３８のセグメント要素４６ａが裏パネル２０に対して全体的に垂直に延在し、一方セグメント要素４６ｂが裏パネル２０に対して全体的に平行に延在する。
【００２６】
収納装置カバー１６の閉鎖位置において、舌部材３８のセグメント要素４６ａは背パネル２２によって画成された平面に全体的に位置し、一方セグメント要素４６ｂは表パネル１８によって画成された平面に全体的に位置することが好ましい。このようにして、全体的に連続した外面５０が収納装置１０に形成される。
【００２７】
図７を参照すれば最良に理解されるように本発明の一実施例において、収納装置カバー１６に覆い５２を取り付けることができる。覆い５２は外面５０の近傍において１つ以上のポケット５４を形成するように透明とすればよい。ポケット５４は、収納装置１０の内容を識別し得る印をつけたシート５６を受け入れ、また表パネル１８および背パネル２０における何らかの不具合を隠すようにし得る。代替的に、覆い５２はグラフィックあるいはプリントした識別材料を含み得るし、あるいは収納装置カバー１６の外面５０を隠すように半透明あるいは不透明としてもよい。
【００２８】
図６に示すように、収納装置カバー１６を折り曲げる間、舌部材３８が自動的にポスト３２と係合するように舌部材３８を表パネルあるいは背パネル２２あるいはそれらの双方に接続する破断可能なウエッブ（webs)５８を設けることができる。しかしながら、収納装置カバー１６が使用者によってまず開けられると、ウエッブ５８は舌部材３８とポスト３２との係合状態を保ち得るようにしながら表パネル１８と背パネル２０とを開き得るようにする。
【００２９】
図２から図４までを参照すれば最良に理解されるように、各舌部材３８は一端の近傍で好ましくは全体的に円筒形の雄プラグ本体の形態での接続部材６０に終端する。プラグ本体６０は舌部材３８と一体に成形あるいは形成すればよく、あるいは代替的に接着剤の使用、溶接、固定手段あるいはその他の周知の結合あるいは取付技術によって舌部材３８に取り付けてもよい。各プラグ本体６０は結合帯片４８を形成するように舌部材３８とポスト３２との間で係合が可能なように雌ソケット３６に受け入れられる形状とされている。
【００３０】
図２および図３に示すように、雄プラグ本体６０はポスト３２の円筒形の内壁６４と摩擦係合するようにされた円筒形の壁６２を含み得る。このように、舌部材３８とポスト３２との間に解放可能な接続すなわち係合が設定できる。各舌部材３８は接続部材６０より上に形成された丸み部分６６を含み、該丸み部分６６はポスト３２の円筒形の外壁６８と組み合わせて、シート品１２がポスト３２から舌部材３８に沿って移動するよう動かすための結合帯片４８上の滑らかな遷移部分を形成する。ポスト３２を前述のように背パネル２２に向かって内向きに傾けることによってポスト３２に対する舌部材３８の係合を促進し、ならびにシート品１２がポスト３２と舌部材３８との間を移動する際、結合帯片４８に沿ってシート品１２を滑らかに動きやすくする。
【００３１】
代替的に図５Ａに示すように、舌部材３８の接続部材６０は雌のソケット３６の直径よりも僅かに大きな直径を有する広がり環状リング７０を含み得る。前記広がり環状リング７０が雌のソケット３６に挿入されるにつれて、当業者には認められるように舌部材３８とポスト３２との間で解放可能な接続すなわち係合が設定される。環状リング７０は舌部材と一体に成形あるいは形成することが好ましい。もっとも、環状リング７０は舌部材３８の遠位端に形成されたポスト（図示せず）に取り付けられているプラスチックあるいはゴムのグロメットに形成し得ることも考えられる。
【００３２】
図５Ｂに示す本発明の代替実施例において、各舌部材３８は半径方向内向きの環状リング７４を含む、遠位端に形成された雌のソケット７２を含む。各ポスト３２には急角度の肩８０を有するあご(barbs)７８で終わる２つ以上のフランジ部材７６が形成されている。フランジ部材７６の遠位端が雌のソケット７２に挿入されるにつれて、前記あご７８は半径内向きの環状リング７４を通り、急角度の肩８０が環状のリング７４と係合し、それによって保持される。フランジ部材７６は相互に向かって手で圧縮可能で、急角度の肩８０が環状の肩７４から外れ得るようにする。このようにして、舌部材３８とポスト３２との間には錠止係合を設定し得る。
【００３３】
図５Ｃに示す代替実施例に示すように、各舌部材３８は遠位端に形成された半径方向外向きの環状リング８２を含む。各ポスト３２には舌部材３８の環状リング８２がポスト３２の環状リング８４を通過するとき「スナップ嵌合(snap fit)」を形成するようにされた半径方向内向きの環状リング８４が形成されている。このように、舌部材３８とポスト３２との間で係合が設定されると使用者に対して可聴および触知可能な指示が提供される。
【００３４】
収納装置１０を使用するとき、収納装置カバー１６が図１に示す開放位置に開けられ、１枚以上のシート品１２がポスト３２に挿入され、シート品１２を収納装置カバー１６に対して整合させる。舌部材３８は柔軟なヒンジ４２，４４において折り曲げられ、ポスト３２と係合するようにされて結合帯片４８を形成する。この時点において、図３を参照すれば最良に理解されるようにシート品１２は裏パネル２０に対して全体的に平行に位置する第１の位置から表パネルに対して全体的に平行に位置する第２の位置まで自在に移動する。シート品１２に対するアクセスがもはや必要でなくなると、収納装置カバー１６は図７に示す閉鎖位置まで折り曲げられ、収納装置１０の収納室３０を閉鎖する。収納装置１０に１枚以上のシート品１２を追加したり、あるいはそこからシート品を取り外したい場合、各舌部材３８とポスト４２との間の係合が解放されてシート品をポストに追加したり、あるいはそこから取り外すことができる。
【００３５】
さて、図８を参照すれば、本発明の代替実施例による収納装置１００が示されており、同じ参照番号は図１から図７までに示す収納装置１０の実施例に対する同じ部材を指示している。本発明のこの局面によれば、収納装置１０の表パネル１８と背パネル２２とは除去されており、したがって収納装置１００は裏パネル２０と、該パネル２０の縁部近傍で該パネル２０の内面２８から上向きに延在している連続したフランジ壁２６と、好ましくは離隔した剛性あるいは半剛性のポストの形態である１つ以上の結合機構３２（２つを示す）と、好ましくは細長い舌部材の形態である１つ以上の結合機構３８（２つを示す）とを含んでいる。詳細に前述したように、ポスト３２はシート品１２に形成せれた開口を貫通し、シート品１２をパネル２０に対して整合させるように作用し得る。舌部材３８は該舌部材３８がポスト３２と係合するように折り曲げられシート品１２がその上で自在に動き得る細長い結合帯片４８（図３および図４を参照）を形成するようにパネル２０の細長い縁部９０の近傍で接続されている。舌分材３８は細長い縁部９０の近傍に配置されたそれぞれの柔軟なヒンジ４２を介して細長い縁部の近傍で接続されることが好ましい。舌分材３８は舌部材３８の長手方向の長さに対して全体的に横方向に延在する柔軟なヒンジ４４を少なくとも１つ含むことが好ましい。柔軟なヒンジ４４は舌分材３８が詳細に前述したように多数のセグメント要素４６ａ，４６ｂに折りたたまれ得るようにする。
【００３６】
さて、図１から図７までに示す収納装置１０の実施例に対して同じ部材には同じ参照数字が指示する図９Ａから図９Ｃまでを参照すれば、本発明の代替実施例による収納装置２００が示されている。収納装置２００と収納装置１０との差異は主として柔軟なヒンジ２４ｂに向かって内向きにポスト３２が運動することと、裏パネル２０に対する舌部材３８の接続とにある。特に、図９Ａおよび図９Ｂに示すように、舌分材３８は、該舌部材３８がそれぞれのポスト３２と折り曲げ係合するように表パネル１８と裏パネル２０と独立して運動するよう作用可能なように裏パネル２０に接続されている。舌分材３８はそれぞれの柔軟なヒンジ２０２を介して裏パネル２０に接続されることが好ましい。もっとも図１から図７までを参照して詳細に説明したように舌分材３８の折り曲げを可能とするその他の接続も可能である。
【００３７】
収納装置２００の使用時、シート品１２がポスト３２に挿入され該シート品１２を収納装置カバー１６に対して整合させうるように収納装置カバー１６が図９Ａに示すように開放位置まで開けられる。舌分材３８は柔軟なヒンジ２０２において折り曲げられ、ポスト３２と係合するようにされ結合帯片４８を形成する。この時点において、シート品１２は図９Ａにおいて鎖線で示すシート品１２ａが指示し、表パネル１８に対して全体的に平行に位置する第１の位置から、図９Ａにおいて鎖線で示すシート品１２ｂによって指示し、裏パネル２０に対して全体的に平行に位置する第２の位置まで結合帯片４８上を移動自在である。ポスト３２から舌分材３８まで結合帯片４８に沿ってシート品１２が動いた後、収納装置カバー１６は図９Ｂに示すように閉鎖し得る。その後、収納装置カバー１６が開放すると、図１から図７までに示す収納装置１０の作動と全体的に同じように、シート品１２は裏パネル２０に対して全体的に平行に位置する第１の位置から表パネル１８に対して全体的に平行に位置する第２の位置まで移動自在である。１枚以上のシート品１２を収納装置１０に追加したり、あるいはそこから取り出す場合、各舌部材３８とポスト３２との間の係合が解放されてシート品をポスト３２あるいは舌部材３８に追加するか、あるいは取り出し得るようにする。
【００３８】
図９Ｂおよび図９Ｃに示すように、シート品１２に対するアクセスがもはや必要でなくなると、収納装置カバー１６が閉鎖位置まで折りたたまれ、収納装置２００の収納室３０を閉鎖する。収納装置カバー１６を閉鎖位置において解放可能に保持するために、収納装置１０および２００の実施例に適用可能である錠止装置２０４がフランジ壁２６に設けられている。錠止装置２０４は裏パネル２０のフランジ壁２６ｂにおいて支持されたチャンネル２０８と整合している表パネル１８のフランジ壁２６ａによって支持された１つ以上のタブ２０６を含む。前記タブ２０６やチャンネル２０８は本発明の精神あるいは範囲を逸脱することなく逆にすることも可能である。各タブ２０６はフランジ壁２６ｂからくぼみ(recess)２１０に向かって延在しているデテント(detent)２１２を受け入れるようにされたくぼみ２１０（図９Ｃ）を含む。各チャンネル２０８はフランジ壁２６ｂと該フランジ壁２６ｂから離隔し、全体的に該壁と平行である可撓性を有するタブ２１４によって形成されることが好ましい。各チャンネル２０８は収納装置カバー１６を閉鎖位置で解放可能に保持するようにデテント２１２と可撓性タブ２１４（図９Ｃ）との間でタブ２０６を解放可能に捕捉するような形状とされている。くぼみ２１６が、収納装置カバー１６を開放しやすくするために使用者の指を受け入れる形状とされたフランジ壁２６ａ，２６ｂのそれぞれの外面に設ければよい。本発明の精神と範囲とから逸脱することなく収納装置カバーを閉鎖位置に解放可能に保持するよう作用し得るその他の錠止装置構造も勿論可能である。
【００３９】
さて、図９Ａから図９Ｃまでに示す収納装置２００の実施例に対して同じ部材を同じ参照番号で指示する図１０を参照すれば、本発明の別の代替実施例による収納装置３００が示されている。本発明のこの局面によれば、収納装置２００の表パネル１８と背パネル２２とが除去され、収納装置３００は裏パネル２０と、該パネル２０の縁部の近傍で該パネル２０の内面２８から上向きに延在している連続したフランジ壁２６と、離隔した剛性、あるいは半剛性のポストの形態が好ましい１つ以上の結合機構３２（２つを示す）、と、細長い舌部材の形態であることが好ましい１つ以上の結合機構３８（２つを示す）とを含む。詳細に前述したように、ポスト３２はシート品１２に形成された開口１４を完全に貫通してシート品１２をパネル２０に対して整合させるように作用可能である。舌分材３８は、該舌部材３８がポスト３２と係合するように折り曲げられシート品１２がその上で移動自在である細長い結合帯片４８（図９Ａを参照）を形成するようにパネル２０に接続されている。舌部材３８はそれぞれの柔軟なヒンジ２０２を介してパネル２０に接続されることが好ましい。舌部材３８は該舌部材３８の長手方向長さに対して全体的に横方向に延在する少なくとも１つの柔軟なヒンジ４４を含むことが好ましい。柔軟なヒンジ４４は舌部材３８が詳細に前述したように多数のセグメント要素４６ａ，４６ｂに折り曲げられるようにする。
【００４０】
さて、図１１Ａおよび図１１Ｂを参照すれば、結合部材３８の代替実施例が示されている。本実施例において、結合部材３８は、舌部材がポスト３２と係合するように折り曲げ可能にその長さに沿って部分的に可撓性を有する細長い舌部材（１つを示す）の形態が好ましい。本発明のこの局面によると、舌部材３８は全体的に４００で示し、図１１Ｂに示すように弧状に舌部材３８を折り曲げ、それによって詳細に前述した横方向の柔軟なヒンジ４４を排除している厚さを薄くした部分を含み得る。
【００４１】
細長い舌部材の形態が好ましい結合部材３８の別の代替実施例が図１２Ａから図１２Ｃまでに示されている。本発明のこの局面によると、舌部材３８は横方向の柔軟なヒンジ４４によって形成される多数のセグメント要素５００ａ，５００ｂおよび５００ｃを含む。シート品が柔軟なヒンジ４４の領域の近傍でひっかかったりあるいはつかえることがないように舌部材３８に沿ってシート品（図示せず）の全体的に滑らかな遷移を提供するために、セグメント要素５００ｂはリブ５０２を含み、セグメント要素５００ａ，５００ｃは各々のチャンネル５０４を含む。このように、セグメント要素５００ｂのリブ５０２はセグメント要素５００ａ，５００ｃのそれぞれのチャンネル５０４に受け入れられ、そのため、シート品が舌部材３８に沿って動くにつれてシート品をひっかかったり、あるいはつかえさせ得る柔軟なヒンジ４４によって形成される空隙あるいはくぼみが何ら存在しない。リブ５０２やチャンネル５０４の位置は逆にし得ることは勿論であり、当業者には本発明の精神と範囲とから逸脱することなく舌部材上でシート品の基本的にひっかかりのない運動を可能とするその他の構造も可能であることが認められる。
【００４２】
図１３Ａから図１３Ｄに示すように、収納装置１０，１００、２００および３００の全ての実施例に対して適用可能であるが、各種の弾発性クリップ構造６００（図１３Ａおよび図１３Ｂ）および６０２（図１３Ｃおよび図１３Ｄ）を１つ以上の各種の収納装置のパネル１８，２０（図示した表パネル１８）に組み込むことが可能である。例えば、弾発性クリップ６００は、当業者には直ちに認められるように弾発性の脚６０６とパネル１８，２０の一方との間でシート、本、あるいは同様の全体的に平坦な品（図示せず）を解放可能に固定するような形状とされた脚６０４と横方向の弾発性の脚６０６とを含む。代替的に、弾発性クリップ６０２は当業者には直ちに認められるように弾発性脚６０８の間で筆記具あるいは同様の全体的に丸い品（図示せず）を解放可能に固定するような形状とされた一対の離隔した、平行で弾発性の脚６０８を含む。本発明の精神と範囲とから逸脱することなく収納装置カバー１６にシート品を解放可能に固定するその他の弾発性クリップ構造も可能であることは勿論である。
【００４３】
図１４Ａおよび図１４Ｂに示すように、収納装置カバー１６はフランジ壁２６の外面に一体成形され、支持面と係合するようにされた複数の支持脚７００を含むことが好ましい。例えば、支持脚７００は涙滴状の形状(tear drop configuration)をしており、支持脚７００の最外面が支持面７０２と係合するように成形されている。このように、本発明の収納装置は図１４Ａに示すように縁部に容易に収納し得る。
【００４４】
本発明を各種の実施例の説明によって示し、かつこれらの実施例をかなり詳細に説明してきたが、当特許出願人の意図は特許請求の範囲をこれらの詳細に何ら限定するものではない。その他の利点や修正も当業者には直ちに明らかとなる。例えば、舌部材３８に雄のプラグ本体６０を形成し、ポスト３２に雌のソケット３６を形成することが好ましいが、当業者には希望に応じて結合帯片４８を形成するために諸要素の係合を可能とする多数のその他の接続装置を舌部材３８とポスト３２とに形成し得ることが認められる。更に、本発明の精神と範囲とから逸脱することなく舌部材３８とポスト３２との位置と形状とは本明細書で説明した実施例と交換あるいは修正し得ることが認められる。したがって、広義における本発明は図示し、説明した特定の詳細、代表的な装置や方法および実施例に限定されない。したがって、本特許出願人の全体的な発明の概念の精神あるいは範囲から逸脱することなくそのような詳細からの逸脱はしてもよい。
【図面の簡単な説明】
【図１】  本発明の一実施例による収納装置の上面図である。
【図２】  収納装置を開放位置において示し、収納装置のポスト部材と係合するよう動く細長い舌部材を示す図１の線２−２に沿って見た断面図である。
【図３】  収納装置を開放位置において示し、結合帯片を形成するようにポスト部材と係合した細長い舌部材を示す図２に類似の図面である。
【図４】  収納装置を閉鎖位置で示す図３に類似の図面である。
【図５Ａ】  本発明の一実施例による細長い舌部材とポスト部材とを示す部分的な側面図である。
【図５Ｂ】  本発明の代替実施例による細長い舌部材とポスト部材とを示す図５Ａに類似の図面である。
【図５Ｃ】  本発明の別の代替実施例による細長い舌部材とポスト部材とを示す図５Ａに類似の図面である。
【図６】  本発明の代替実施例による図１に示す収納装置を示す部分的な平面図である。
【図７】  閉鎖位置における図１に示す収納装置の斜視図である。
【図８】  本発明の代替実施例による収納装置を示す図１に類似の図面である。
【図９Ａ】  本発明の別の実施例による収納装置を示す図１に類似の図面である。
【図９Ｂ】  閉鎖位置における収納装置を示す図９Ａの線９Ｂ−９Ｂに沿って見た断面図である。
【図９Ｃ】  図９Ｂにおいて縁で囲んだ部分の拡大図である。
【図１０】  本発明の更に別の代替実施例による収納装置を示す図１に類似の図面である。
【図１１Ａ】  本発明の代替実施例による細長い舌部材とポスト部材とを示す部分的な側面図である。
【図１１Ｂ】  結合帯片を形成すべくポスト部材と係合した細長い舌部材を示す図１１Ａに類似の図面である。
【図１２Ａ】  本発明の別の代替実施例による細長い舌部材とポスト部材とを示す図１１Ｂに類似の図面である。
【図１２Ｂ】  図１２Ａの丸で囲んだ部分の拡大図である。
【図１２Ｃ】  図１２Ｂの線１２Ｃ−１２Ｃに沿って見た断面図である。
【図１３Ａ】  本発明の一実施例による弾発性クリップを含む収納装置の部分的な平面図である。
【図１３Ｂ】  図１３Ａの線１３Ｂ−１３Ｂに沿って見た断面図である。
【図１３Ｃ】  本発明の代替実施例による弾発性クリップを示す図１３Ａに類似の図面である。
【図１３Ｄ】  図１３Ｃの線１３Ｄ−１３Ｄに沿って見た断面図である。
【図１４Ａ】  支持面と係合するようにされた支持脚を含む収納装置の側面図である。
【図１４Ｂ】  図１４Ａの線１４Ｂ−１４Ｂに沿って見た断面図である。
【図１】
0004447193.tif 000002
【図２】
0004447193.tif 000003
【図３】
0004447193.tif 000004
【図４】
0004447193.tif 000005
【図６】
0004447193.tif 000006
【図５Ａ】
0004447193.tif 000007
【図５Ｂ】
0004447193.tif 000008
【図５Ｃ】
0004447193.tif 000009
【図７】
0004447193.tif 000010
【図８】
0004447193.tif 000011
【図９Ａ】
0004447193.tif 000012
【図９Ｂ】
0004447193.tif 000013
【図９Ｃ】
0004447193.tif 000014
【図１４Ａ】
0004447193.tif 000015
【図１４Ｂ】
0004447193.tif 000016
【図１０】
0004447193.tif 000017
【図１２Ｂ】
0004447193.tif 000018
【図１２Ｃ】
0004447193.tif 000019
【図１１Ａ】
0004447193.tif 000020
【図１１Ｂ】
0004447193.tif 000021
【図１２Ａ】
0004447193.tif 000022
【図１３Ａ】
0004447193.tif 000023
【図１３Ｂ】
0004447193.tif 000024
【図１３Ｃ】
0004447193.tif 000025
【図１３Ｄ】
0004447193.tif 000026